(57)【要約】【課題】積雪量の監視を確実におこなうことができ、積雪量の監視に基づく除雪の要請を効率的におこなうこと。【解決手段】積雪量監視装置１００は、扉を構成する、略垂直方向に設けられた縦棒部材１１１に塗布されたまたは貼り付けられたマーク部材２０１〜２０４を備え、マーク部材２０１〜２０４には、地面からの高さを示す数値が記載されている。すべての数字『１０』〜『４０』が見えていれば、積雪量は０（ゼロ）か１０ｃｍ未満、『２０』〜『４０』の数字が見えているが、下側棒部材１１３のマーク部材２０１の『１０』の数字が雪によって隠れていて見えない場合は、積雪は１０ｃｍ以上２０ｃｍ未満程度、縦棒部材１１１のマーク部材２０３の『３０』およびマーク部材２０４の『４０』の数字が見えているが、マーク部材２０２の『２０』の数字が雪によって隠れている場合は、積雪が２０ｃｍ以上３０ｃｍ未満程度であることが容易にわかる。【選択図】図２
2020153958.tif 000002
【特許請求の範囲】
【請求項１】
出入り口を形成する略垂直方向の２つの柱と、
一端が前記２つの柱のそれぞれに回動可能に取り付けられて、観音開きに開閉する２つの扉と、
前記柱に取り付けられる前記一端とは反対側の前記扉の他端に付する積雪量を示すマーク部材と、
を備えたことを特徴とする積雪量監視装置。
【請求項２】
前記他端は、略垂直方向に設けられた棒状部材から構成され、
前記マーク部材は、前記棒状部材に塗布する塗布部材であることを特徴とする請求項１に記載の積雪量監視装置。
【請求項３】
前記他端は、略垂直方向に設けられた棒状部材であり、
前記マーク部材は、前記棒状部材に貼り付ける貼付部材であることを特徴とする請求項１に記載の積雪量監視装置。
【請求項４】
前記マーク部材には、地面からの高さを示す数値が記載されていることを特徴とする請求項１〜３のいずれか一つに記載の積雪量監視装置。
【請求項５】
前記マーク部材は、除雪要請を示すマークであることを特徴とする請求項１〜４のいずれか一つに記載の積雪量監視装置。
【請求項６】
前記マーク部材は、今後の降雪予測に基づいて、当該マーク部材の前記棒状部材に付する位置を変更することを特徴とする請求項５に記載の積雪量監視装置。
【請求項７】
前記扉どうしが閉じられた際に互いに接近する前記棒状部材の両方に、前記マーク部材を付することを特徴とする請求項１〜６のいずれか一つに記載の積雪量監視装置。
【請求項８】
前記扉どうしが閉じられた際に互いに接近する前記棒状部材の両方に、地面からの高さを示す数値が記載されたマーク部材を交互に付することを特徴とする請求項１〜４のいずれか一つに記載の積雪量監視装置。
【請求項９】
前記扉どうしが閉じられた際に互いに接近する前記棒状部材のいずれか一方には、地面からの高さを示す数値が記載されたマーク部材を付して、前記棒状部材の他方には、前記扉の上端からの長さを示す数値が記載されたマーク部材を付することを特徴とする請求項１〜４のいずれか一つに記載の積雪量監視装置。
【請求項１０】
前記マーク部材を撮影する撮影部と、
前記撮影部によって撮影された画像または映像を表示する表示部と、
を備えたことを特徴とする請求項１〜９のいずれか一つに記載の積雪量監視装置。
【発明の詳細な説明】
【技術分野】
【０００１】
この発明は、積雪量を監視する積雪量監視装置に関する。
【背景技術】
【０００２】
従来から、構内に移動機器を配備し、移動機器使用時の搬出に備える施設などにおいて、積雪が多い場合、移動機器使用時の搬出に備えるために、施設の構内除雪を実施している。移動機器使用は、非常時である場合が多く、いつでも搬出できるように（積雪で出入り口の扉の開放ができなくならないように）、定常的に除雪処理がなされている必要がある。
【０００３】
豪雪地域ではないが、たとえば山陰地方など、毎年冬期には、複数回にわたって積雪が発生する地域においては、一般的に、作業効率や除雪にかかる諸経費を考慮して、構内除雪は、担当者の要請があった場合にのみおこなわれる。したがって、たとえば積雪量を目安に、適切なタイミングで除雪の要請をする必要がある。
【０００４】
より具体的には、出願人が所有する施設がある地域においても、年に２〜３回は、４０ｃｍ〜５０ｃｍ程度の積雪となることがある。通常は、２０ｃｍ〜２５ｃｍ程度の積雪となったら、除雪要請をおこなうことを慣行としている。
【０００５】
関連する技術として、具体的には、たとえば、発光器に等間隔で垂直に配置された発光素子を設け、距離を隔てて配置される受光器の受光素子で受光するものとしないものとの位置から積雪高さを検出する積雪深計測装置に関する技術がある（たとえば、下記特許文献１を参照。）。
【０００６】
また、関連する技術として、具体的には、たとえば、上下方向に延在する支柱と、支柱に設けられ、雪を透過可能な第１の観測波を照射すると共に、反射層により反射された第１の観測波を検出する第１の観測波照射手段と、支柱に設けられ、雪面に反射層を形成する反射層形成手段と、第１の観測波照射手段による第１の観測波の検出結果を利用して、反射層上に積もった雪の深さを算出する演算手段と、を備える降雪深観測装置に関する技術がある（たとえば、下記特許文献２を参照。）。
【０００７】
また、関連する技術として、具体的には、たとえば、積雪量を計測し、無線通信網を使用して計測データを管理部へ送信するセンサ機器部と、通信網と接続して送受信し、受信した計測データに基づいて除雪作業を開始すべきかを判別し、除雪作業開始信号を所定の通信先に送信指示する管理機器部と、除雪作業開始信号を受領する携帯端末からなる除雪作業開始システムに関する技術がある（たとえば、下記特許文献３を参照。）。
【先行技術文献】
【特許文献】
【０００８】
【特許文献１】特開平４−１４０６０５号公報
【特許文献２】特開２０１０−３２３８１号公報
【特許文献３】特開２００９−２５７８０５号公報
【発明の概要】
【発明が解決しようとする課題】
【０００９】
しかしながら、積雪量を把握する基準が明確でないため、除雪を要請する判断が曖昧であった。通常、屋外における施設の構内のフェンス状の扉は、たとえば地上１０ｃｍ程度は浮いた状態で設置されているため、１０ｃｍ以下の積雪であれば、除雪の必要はない。また、１０ｃｍ以上の積雪であっても、積雪量がさらに多少増える程度であれば、移動機器の搬出時に容易に除雪作業ができるので、この場合もまた、除雪の要請は必要ではない。ところが、それ以上になると、容易には除雪作業ができず、扉の開放に手間取り、緊急時の移動機器の搬出に支障を来してしまう。このような場合には、除雪の要請が必要となる。
【００１０】
一方、必要以上に頻繁に除雪の要請をすることは、除雪作業員の負担を増加させることになるだけでなく、無駄な費用がかかり、経済的にも好ましくない。したがって、除雪の要請は、移動機器の搬出作業に支障を来さないのであれば、できるだけ少ない回数とするのが望ましい。
【００１１】
このように、除雪の要請のタイミングは難しいにもかかわらず、その要請のタイミングの決定は、担当者の裁量に任されることが多い。したがって、十分に適切な除雪要請対応ができていないというのが現状である。
【００１２】
また、従来における積雪量を監視するための装置は、大がかりな装置を用いるものが多く、それらは、いずれも、簡易にかつ安価に積雪量を監視することには適していないという問題点がある。
【００１３】
この発明は、上述した従来技術による問題点を解消するため、積雪量の監視を確実におこなうことができ、積雪量の監視に基づく除雪の要請を効率的におこなうことを目的とする。
【課題を解決するための手段】
【００１４】
上述した課題を解決し、目的を達成するため、この発明にかかる積雪量監視装置は、出入り口を形成する略垂直方向の２つの柱と、一端が前記２つの柱のそれぞれに回動可能に取り付けられて、観音開きに開閉する２つの扉と、前記柱に取り付けられる前記一端とは反対側の前記扉の他端に付する積雪量を示すマーク部材と、を備えたことを特徴とする。
【００１５】
また、この発明にかかる積雪量監視装置は、上記発明において、前記他端が、略垂直方向に設けられた棒状部材から構成され、前記マーク部材が、前記棒状部材に塗布する塗布部材であることを特徴とする。
【００１６】
また、この発明にかかる積雪量監視装置は、上記発明において、前記他端が、略垂直方向に設けられた棒状部材であり、前記マーク部材が、前記棒状部材に貼り付ける貼付部材であることを特徴とする。
【００１７】
また、この発明にかかる積雪量監視装置は、上記発明において、前記マーク部材に、地面からの高さを示す数値が記載されていることを特徴とする。
【００１８】
また、この発明にかかる積雪量監視装置は、上記発明において、前記マーク部材が、除雪要請を示すマークであることを特徴とする。
【００１９】
また、この発明にかかる積雪量監視装置は、上記発明において、前記マーク部材が、今後の降雪予測に基づいて、当該マーク部材の前記棒状部材に付する位置を変更することを特徴とする。
【００２０】
また、この発明にかかる積雪量監視装置は、上記発明において、前記扉どうしが閉じられた際に互いに接近する前記棒状部材の両方に、前記マーク部材を付することを特徴とする。
【００２１】
また、この発明にかかる積雪量監視装置は、上記発明において、前記扉どうしが閉じられた際に互いに接近する前記棒状部材の両方に、地面からの高さを示す数値が記載されたマーク部材を交互に付することを特徴とする。
【００２２】
また、この発明にかかる積雪量監視装置は、上記発明において、前記扉どうしが閉じられた際に互いに接近する前記棒状部材のいずれか一方には、地面からの高さを示す数値が記載されたマーク部材を付して、前記棒状部材の他方には、前記扉の上端からの長さを示す数値が記載されたマーク部材を付することを特徴とする。
【００２３】
また、この発明にかかる積雪量監視装置は、上記発明において、前記マーク部材を撮影する撮影部と、前記撮影部によって撮影された画像または映像を表示する表示部と、を備えたことを特徴とする。
【発明の効果】
【００２４】
この発明にかかる積雪量監視装置によれば、積雪量の監視を確実におこなうことができ、積雪量の監視に基づく除雪の要請を効率的におこなうことができる。
【図面の簡単な説明】
【００２５】
【図１】屋外における施設の構内のフェンス状の扉の一例を示す説明図である。
【図２】この発明にかかる実施の形態の積雪量監視装置の構成の一例を示す説明図である。
【図３Ａ】マーク部材と高さとの関係の一例を示す説明図である。
【図３Ｂ】マーク部材と高さとの関係の別の一例を示す説明図である。
【図３Ｃ】マーク部材と高さとの関係の別の一例を示す説明図である。
【図４】この発明にかかる実施の形態の積雪量監視装置の構成の別の一例を示す説明図である。
【図５】この発明にかかる実施の形態の積雪量監視装置の構成の別の一例を示す説明図である。
【図６】この発明にかかる実施の形態の積雪量監視装置の構成の別の一例を示す説明図である。
【図７】この発明にかかる実施の形態の積雪量監視装置の構成の別の一例を示す説明図である。
【図８】この発明にかかる実施の形態の積雪量監視装置の構成の別の一例を示す説明図である。
【図９】この発明にかかる実施の形態の積雪量監視システムのシステム構成の一例を示す説明図である。
【発明を実施するための形態】
【００２６】
以下に添付図面を参照して、この発明にかかる積雪量監視装置の好適な実施の形態を詳細に説明する。
【００２７】
（積雪量監視装置の概要）
まず、この発明にかかる実施の形態の積雪量監視装置１００の構成について説明する。図１は、屋外における施設の構内のフェンス状の扉の一例を示す説明図である。施設は、通常、フェンス１１０で囲まれている。そして、屋外の施設において構内への出入り口として、左右対称の扉１０１が備えられている。その２つの扉１０１は、非常時の移動機器使用時の搬出をおこなうために、観音開きの構成となっている。
【００２８】
したがって、二つの扉１０１の中央側の先端どうしを合わせるように回動させることで、出入り口を封鎖することができる。また、二つの扉１０１の中央側の先端どうしが離れるように回動させることで、出入り口を解放することができる。
【００２９】
各扉１０１は、矩形の形状となるように、左右両側の縦棒部材１１１および１１２と、下側棒部材１１３と、上側棒部材１１４の各両端を固定し、左右両側の縦棒部材１１１および１１２と、下側棒部材１１３と、上側棒部材１１４とによって形成された矩形の中には、金網１１５を取り付ける。縦棒部材１１１、１１２、下側棒部材１１３、上側棒部材１１４の各棒状部材は、円柱形状（パイプ形状）であってもよく、また、四角形などの多角形の形状であってもよい。縦棒部材１１１、１１２、下側棒部材１１３、上側棒部材１１４は、具体的には、たとえばアルミニウムなどの軽量の金属の材質によって、形成されるとよい。
【００３０】
扉１０１の左右端には、それぞれ柱１０２が設けられている。扉１０１の端部の縦棒部材１１２は、ヒンジ機能によって、柱１０２に取り付けられている。したがって、扉１０１は、そのヒンジ機能によって、柱１０２を軸として、手前方向あるいは奥方向に開閉することができる。そして、扉１０１の柱１０２側とは反対側の端部の縦棒部材１１１どうしが合わさることによって、出入り口が閉鎖される。図１は、縦棒部材１１１どうしが合わさった状態であり、出入り口が閉鎖された状態を示している。
【００３１】
また、両扉１０１の動きを規制するために、両扉１０１を横断するように、施錠棒１１６が設けられている。さらには、図示を省略するが、南京錠などを設けて、施錠棒１１６の動きを規制することによって、扉１０１の施錠をおこなうことができる。
【００３２】
人や車両がこの出入り口を通行する際は、南京錠などを開錠し施錠棒１１６をずらすことで、扉１０１の回動の規制を解除し、その後、扉１０１を手前または奥側に所定の角度だけ回動する。これにより、人や車両がこの出入り口から通行可能となる。また、人や車両の通行を規制する場合は、これとは逆に、開いた状態の両扉１０１を回動させて扉１０１の縦棒部材１１１どうしを合わせた上で、施錠棒１１６を移動させ、南京錠などに施錠する。
【００３３】
扉１０１の下側は、扉１０１の開閉を円滑にするために、地面から所定の距離、たとえば１０ｃｍ程度の間が空いている、すなわち、地上１０ｃｍ程度は浮いた状態で設置されている。このため、冬期に、１０ｃｍ以下の積雪であったとしても、扉１０１の下側が、雪の影響を受けずに回動することができるので、１０ｃｍ以下の積雪は、あえて除雪をする必要はない。また、１０ｃｍ以上であっても、多少積雪量が増える程度であれば、簡単な除雪作業によって、扉１０１の回動を確保することができるので、除雪の要請は必要ない。
【００３４】
ところが、それ以上になると、容易に除雪作業ができなかったり、除雪作業に時間がかかってしまい、扉１０１の開放に手間取って、緊急時の移動機器の搬出に支障を来してしまうことになる。積雪の予測はある程度できるものの、除雪の要請は、実際の積雪に基づくのが妥当であるため、除雪の要請の判断をすること、あるいは、その判断時期を決めるのが難しい場合が多く、判断ミスにより、除雪要請が遅れたり、また、無駄な除雪要請をおこなってしまったりということとなる。
【００３５】
図２は、この発明にかかる実施の形態の積雪量監視装置の構成の一例を示す説明図である。図２において、扉を構成する縦棒部材１１１、下側棒部材１１３のうち、向かって右側の扉にのみ、帯状のマーク部材２０１〜２０４を所定の間隔で付している。
【００３６】
縦棒部材１１１には、３つの帯状のマーク部材２０２〜２０４が付されており、各マークには、下から『２０』、『３０』、『４０』の数字が記載されている。これらの数字は、地面からの高さを示しており、たとえば、『２０』の数字が記載されたマーク部材２０２が、地面から２０ｃｍの高さにある。同様に、『３０』の数字が記載されたマーク部材２０３が、地面から３０ｃｍの高さにある。
【００３７】
下側棒部材１１３にも、帯状のマーク部材２０１が付されており、このマーク部材２０１には『１０』の数字が記載されている。この数字からわかるように、下側棒部材１１３は、地面からの高さが約１０ｃｍであることを示している。
【００３８】
マーク部材は、縦棒部材１１１に塗布する塗布部材であってもよい。また、マーク部材は、縦棒部材１１１に貼り付ける貼付部材であってもよい。具体的には、たとえば、縦棒部材１１１にペンキなどによってペインティングをしたり、マジックインキで書き込んだり、あるいは、テーピング、すなわち、テープを巻くなどして、マーク部材を縦棒部材１１１に付することができる。
【００３９】
図２においては、縦棒部材１１１は、パイプ形状なので、扉１０１の金網１１５部分などに比べて、ペインティングやテーピングがしやすい。また、ペインティングやテーピングなどのマーキングは、雨や雪にも耐久性のあるものが望ましい。テーピングは、冬場のみテーピングを施し、夏場は取り外すことができるという効果を有する。これにより、夏場において、マーク部材２０１〜２０４が付されたままになった状態となり、出入り口付近の景観を損ねてしまうことがない。
【００４０】
このようにして、数字が記載された帯状のマーク部材２０１〜２０４を、縦棒部材１１１および下側棒部材１１３に付することによって、積雪があった場合に、その積雪量が一目でわかるようになっている。より具体的には、たとえば、すべての数字『１０』〜『４０』が見えていれば、積雪量は０（ゼロ）か１０ｃｍ未満であることがわかる。また、縦棒部材１１１の『２０』〜『４０』の数字が見えているが、下側棒部材１１３の『１０』の数字が雪によって隠れていて見えない場合は、積雪は１０ｃｍ以上２０ｃｍ未満程度であることがわかる。
【００４１】
同様に、縦棒部材１１１の『３０』および『４０』の数字が見えているが、縦棒部材１１１の『２０』の数字が雪によって隠れている場合は、積雪が２０ｃｍ以上３０ｃｍ未満程度であり、縦棒部材１１１の『４０』の数字が見えているが、縦棒部材１１１の『３０』および『２０』の数字が雪によって隠れている場合は、積雪が３０ｃｍ以上４０ｃｍ未満程度であることがわかる。そして、縦棒部材１１１のすべての数字『４０』〜『２０』がすべて雪に隠れて見えない場合は、積雪が４０ｃｍ以上であることがわかる。
【００４２】
図３Ａ〜図３Ｃは、マーク部材と高さとの関係の一例を示す説明図である。すなわち、数字が記載されたマークの位置と地面からの高さとの関係を示している。図３Ａでは、帯状のマークの上側を基準としている。すなわち、『３０』の数字が記載されたマーク部材２０３の上側が地面から３０ｃｍの高さになるように、当該マーク部材２０３を縦棒部材１１１に付するようにする。同様に、『２０』の数字が記載されたマーク部材２０２の上側が地面から２０ｃｍの高さになるように、当該マーク部材２０２を縦棒部材１１１に付するようにする。この場合、雪によって数字が完全に隠れたら、積雪がその高さに達していることがわかる。したがって、見えている数字から、隠れた数字を推測することになる。
【００４３】
図３Ｂでは、帯状のマークの下側を基準としている。すなわち、『３０』の数字が記載されたマーク部材２０３の下側が地面から３０ｃｍの高さになるように、当該マーク部材２０３を縦棒部材１１１に付するようにする。同様に、『２０』の数字が記載されたマーク部材２０２の下側が地面から２０ｃｍの高さになるように、当該マーク部材２０２を縦棒部材に付するようにする。この場合、数字のすぐ下まで積雪があったら、その数字が積雪量を示しているということがわかる。
【００４４】
図３Ｃでは、帯状のマークの中心付近を基準としている。すなわち、『３０』の数字が記載されたマーク部材２０３の中心付近が地面から３０ｃｍの高さになるように、当該マーク部材２０３を縦棒部材１１１に付するようにする。同様に、『２０』の数字が記載されたマーク部材２０２の中心付近が地面から２０ｃｍの高さになるように、当該マーク部材２０２を縦棒部材１１１に付するようにする。この場合、数字が半分程度、雪によって隠れたら、その数字が積雪量を示していることがわかる。
【００４５】
図４は、この発明にかかる実施の形態の積雪量監視装置の構成の別の一例を示す説明図である。図４においては、帯状のマーク部材４０１に数字を記載しない。より具体的には、帯状のマーク部材４０１の色によって、積雪量を確認するようにする。具体的には、縦棒部材１１１に付したマーク部材４０１に積雪が達した場合に、除雪要請をするとすればよい。積雪が達した場合とは、積雪が少しでもマーク部材４０１を隠した場合であってもよく、完全にマーク部材４０１を隠した場合であってもよく、また、マーク部材４０１の一部（たとえば半分程度）を隠した場合であってもよい。
【００４６】
図４においては、下側のマーク部材４０２に達した場合は、観察要を示しており、上側のマーク部材４０１に達した場合は、即時、除雪要請をおこなうこととする。これらのマーク部材４０１、４０２の記載位置（高さ）は、過去の実績や、除雪要請してから除雪作業開始されるまでの時間などを考慮して定めるようにすればよい。また、マーク部材４０１とマーク部材４０２とで、異なる色にするようにしてもよい。
【００４７】
図５は、この発明にかかる実施の形態の積雪量監視装置の構成の別の一例を示す説明図である。図５においては、天気予報（積雪予報）による今後の天気（積雪）の状況を考慮して、複数のマークを付するものである。図５に示すように、上側のマーク部材５０１には『晴』と記載されており、下側のマーク部材５０２には『雪』と記載されている。
【００４８】
そして、今後の天気予報が「雪」の場合は、これからも積雪となることが予測できるので、積雪が下側の『雪』のマーク部材５０２に達した時点で、除雪要請をおこなう。一方、今後の天気予報が「晴れ」の場合は、積雪がない（あるいは少ない）と予測できるので、積雪が上側の『晴』のマーク部材５０１に達するまで待って、上側の『晴』のマーク部材５０１に達した時点で、除雪要請をおこなうようにするとよい。
【００４９】
このように、積雪量監視装置１００は、積雪予測（予報）に基づいて、より適切な除雪要請をおこなうことが可能となる。
【００５０】
図６は、この発明にかかる実施の形態の積雪量監視装置の構成の別の一例を示す説明図である。図６においては、帯状のマークを色で塗り分けるものである。下側棒部材１１３の全体と縦棒部材１１１の下側の所定の長さまでの領域６０１は、青色とする。その上の領域６０２を黄色とし、さらにその上の領域６０３を赤色とする。これは、信号機と同じ配色であり、積雪が青色マーク領域６０１に達している場合には、未だ積雪が少ないため、何もしない。積雪が黄色マーク領域６０２に達した場合は、要注意として、担当者に注意を促す。そして、積雪が赤色マーク領域６０３に達した場合は、除雪要請をおこなうようにする。
【００５１】
色で塗り分けるだけでなく、図６に示すように、青色マーク領域６０１に『青』、黄色マーク領域６０２に『黄』、赤色マーク領域６０３に『赤』の文字をそれぞれ記載するようにしてもよい。あるいは、図示を省略するが、『Ｂ（ｌｕｅ）』、『Ｙ（ｅｌｌｏｗ）』、『Ｒ（ｅｄ）』の文字をそれぞれ記載するようにしてもよい。これにより、担当者は信号機を想像し、直感的に、積雪量とマークの色との関係から、除雪要請の要否について判断することができる。
【００５２】
図７は、この発明にかかる実施の形態の積雪量監視装置の構成の別の一例を示す説明図である。図２〜図６においては、観音開きの２枚の扉１０１の一方（たとえば向かって右側）の扉１０１の縦棒部材１１１に各マークを付していた。これに対して、図７においては、２枚の扉１０１の両方の縦棒部材１１１にマークを付するものである。
【００５３】
このように、両方の縦棒部材１１１にマークを付することによって、いずれか一方の扉が、解放されていたり、積雪のため、マークの一部が見づらくなる場合にも、適切に積雪量を監視することができる。図示は省略するが、マークは、二つの扉の支柱に、同じものをそれぞれ施してもよく、また、それぞれ別のものを施してもよい。具体的には、たとえば、片方に数字を記載し、もう一方には、その他の文字、図形、記号などを記載するようにしてもよい。
【００５４】
また、両方の縦棒部材１１１にマークを付することによって、扉が確実に閉じているかの確認も同時にすることができる。特に、後述する撮影部（カメラ）９０１を用いる遠隔監視において有効である。すなわち、積雪がない状態では、両方の縦棒部材１１１に数字が記載されているのが見えるが、扉が確実に閉じていない場合には、いずれかの数字が見えないまたは見えづらくなる。その場合は、扉異常を察知して、扉を閉じる処置を施すことができる。
【００５５】
さらに、図７にも示すように、高さに対して、右側の扉１０１の縦棒部材１１１と左側の扉の縦棒部材１１１に交互に付するようにしてもよい。具体的には、向かって右側の扉１０１の下側棒部材１１３に、『１０』の数字のマーク部材７０１を付して、『３０』の数字のマーク部材７０３、『５０』の数字のマーク部材７０５は、向かって右側の扉１０１の縦棒部材１１１に付する。一方、向かって左側の扉１０１の縦棒部材１１１に対して、『２０』の数字のマーク部材７０２、『４０』の数字のマーク部材７０４、『６０』の数字のマーク部材７０６を付するようにしてもよい。
【００５６】
このように数字を交互に記載することにより、記載の手間を軽減できるとともに、いずれかの扉の数字が雪で見づらくなった場合でも、反対側の扉の上側の数字を見ることで、積雪量を確実に推測することができる。具体的には、『３０』の数字が雪で隠れていても、反対側の扉の『４０』の数字が見えていれば、そこから、積雪量を容易に推測することができる。
【００５７】
図８は、この発明にかかる実施の形態の積雪量監視装置の構成の別の一例を示す説明図である。図８において、２つの扉１０１の縦棒部材１１１にはそれぞれ反対の数字が付いている。すなわち、扉１０１どうしが閉じられた際に互いに接近する縦棒部材１１１のうちの一方（向かって右側）の縦棒部材１１１に、地面からの高さを示す数値が記載されたマーク部材８０１〜８０４を付して、他方（向かって左側）の縦棒部材１１１に、扉１０１の上端（上側棒部材１１４からの長さを示す数値が記載されたマーク部材８０５〜８０８を付する。
【００５８】
そうすることで、向かって右側の上側棒部材１１４に付されたマーク部材８０４を見ることにより、扉１０１の高さが２００ｃｍであることがわかるとともに、向かって左側の下側棒部材１１３に付されたマーク部材８０８を見ることによっても、扉の高さが２００ｃｍであることが容易に把握できる。
【００５９】
また、向かって右側の縦棒部材１１１に付されたマーク部材８０３と、向かって左側の縦棒部材１１１に付されたマーク部材８０７を見て、同じ数字であることを確認することによって、この位置が扉の１／２の高さであることがわかるとともに、扉の１／２の高さが１００ｃｍであるから、全体の扉の高さが２００ｃｍであることを容易に推測することができる。これにより、積雪量だけでなく、扉１０１全体の大きさ（高さ）を直感的に把握することができる。特に、後述する撮影部（カメラ）９０１を用いる遠隔監視において有効である。
【００６０】
図９は、この発明にかかる実施の形態の積雪量監視システムのシステム構成の一例を示す説明図である。図９において、マーク部材２０１などを撮影する撮影部９０１と、撮影部９０１によって撮影された画像または映像を、ネットワーク９０２を介して、遠隔地における表示部（ディスプレイ）９０３に表示することができる。
【００６１】
撮影部９０１は、具体的には、たとえば、簡易型ＩＴＶ（ｉｎｄｕｓｔｒｉａｌ  ｔｅｌｅｖｉｓｉｏｎ（監視カメラ））などであって、この簡易型ＩＴＶを扉１０１付近に設置する。そして、扉の縦棒部材１１１、下側棒部材１１３などを撮影できるようにする。
【００６２】
それによって、現場、すなわち施設の出入り口（扉１０１）まで作業員が出向いて確認しなくても、遠隔地から、カメラの映像を表示部（ディスプレイ）９０３で見ることで、積雪量を容易に把握することができる。簡易型ＩＴＶは、固定カメラでもよく、また、可動式で、遠隔操作により、扉１０１の周辺も撮影できるものであってもよい。また、遠隔操作でズームできる機能を備えていてもよい。
【００６３】
また、画像を解析できる機能を備え、撮影されたマーク部材の数字を読み取ることができるようにしてもよい。たとえば、「３０」という数字が読み取れ、それより下の数字が（雪で隠れていて）読み取れなかった場合は、少なくとも２０ｃｍ〜３０ｃｍの積雪量であることを自動で認識することができ、その自動認識結果を表示部９０３に表示することができる。
【００６４】
また、自動で認識することで、除雪要請のアラートを担当者に通報してもよく、また、除雪要請を自動でおこなうようにしてもよい。これにより、夜間などにおいて、多くの積雪があった場合であっても、より適切なタイミングで、除雪要請をすることが可能となる。
【００６５】
以上説明したように、この発明にかかる実施の形態の積雪量監視装置１００は、出入り口を形成する略垂直方向の２つの柱１０２と、一端（縦棒部材１１２）が２つの柱１０２のそれぞれに回動可能に取り付けられて、観音開きに開閉する２つの扉１０１と、柱１０２に取り付けられる一端（縦棒部材１１２）とは反対側の扉１０１の他端（縦棒部材１１１）に付する積雪量を示すマーク部材２０１〜２０４、４０１、４０２、５０１、５０２、６０１〜６０３、７０１〜７０６、８０１〜８０８と、を備えるので、より簡易かつ安価な構成で、扉１０１付近における積雪量を容易にかつより正確に確認することができる。
【００６６】
また、この発明にかかる実施の形態の積雪量監視装置１００は、他端が、略垂直方向に設けられた縦棒部材１１１から構成され、マーク部材２０１などが、縦棒部材１１１に塗布する塗布部材であるので、マーク部材２０１などを縦棒部材１１１に容易に付することができる。
【００６７】
また、この発明にかかる実施の形態の積雪量監視装置１００は、他端が、略垂直方向に設けられた縦棒部材１１１から構成され、マーク部材２０１などが、縦棒部材１１１に貼り付ける貼付部材であるので、マーク部材２０１などを縦棒部材１１１に容易に付することができ、かつ、容易に取り外すことができる。
【００６８】
また、この発明にかかる実施の形態の積雪量監視装置１００は、マーク部材２０１などに、地面からの高さを示す数値が記載されているので、積雪量（高さの数値）を容易にかつより正確に確認することができる。
【００６９】
また、この発明にかかる実施の形態の積雪量監視装置１００は、マーク部材４０１などが、除雪要請を示すマークであるので、そのマーク部材４０１を手がかりに、確実に除雪要請をおこなうことができる。
【００７０】
また、この発明にかかる実施の形態の積雪量監視装置１００は、マーク部材５０１、５０２が、今後の降雪予測に基づいて、当該マーク部材の縦棒部材１１１に付する位置を変更するので、今後の積雪を考慮したより適切な除雪要請をおこなうことができる。
【００７１】
また、この発明にかかる実施の形態の積雪量監視装置１００は、扉１０１どうしが閉じられた際に互いに接近する縦棒部材１１１の両方に、マーク部材を付するので、いずれか一方の扉１０１が、解放されていたり、積雪のため、マーク部材の一部が見づらくなる場合にも、適切に積雪量を監視することができる。
【００７２】
また、この発明にかかる実施の形態の積雪量監視装置１００は、扉１０１どうしが閉じられた際に互いに接近する縦棒部材１１１の両方に、地面からの高さを示す数値が記載されたマーク部材７０１〜７０６を交互に付するので、記載の手間を軽減できるとともに、いずれかの扉の数字が雪で見づらくなった場合でも、反対側の扉の上側の数字を見ることで、積雪量を確実に推測することができる。
【００７３】
また、この発明にかかる実施の形態の積雪量監視装置１００は、扉１０１どうしが閉じられた際に互いに接近する縦棒部材１１１のいずれか一方に、地面からの高さを示す数値が記載されたマーク部材８０１〜８０４を付して、縦棒部材１１１の他方に、扉１０１の上端（上側棒部材１１４）からの長さを示す数値が記載されたマーク部材８０５〜８０８を付するので、積雪量だけでなく、扉１０１全体の大きさ（高さ）を直感的に把握することができる。
【００７４】
また、この発明にかかる実施の形態の積雪量監視装置１００は、マーク部材２０１などを撮影する撮影部９０１と、撮影部９０１によって撮影された画像または映像を表示する表示部９０３と、を備えるので、遠隔地において、積雪量を容易に把握することができる。
【産業上の利用可能性】
【００７５】
以上のように、この発明にかかる積雪量監視装置は、積雪量を監視する積雪量監視装置であり、特に、積雪量の監視を確実におこなうことができ、積雪量の監視に基づく除雪の要請を効率的におこなうことができる積雪量監視装置に適している。
【符号の説明】
【００７６】
１００  積雪量監視装置
１０１  扉
１０２  柱
１１０  フェンス
１１１  縦棒部材（中央側）
１１２  縦棒部材（柱側）
１１３  下側棒部材
１１４  上側棒部材
１１５  金網
１１６  施錠棒
２０１〜２０４、４０１、４０２、５０１、５０２、６０１〜６０３、７０１〜７０６、８０１〜８０８  マーク部材
【図１】
2020153958.tif 000003
【図２】
2020153958.tif 000004
【図３Ａ】
2020153958.tif 000005
【図３Ｂ】
2020153958.tif 000006
【図３Ｃ】
2020153958.tif 000007
【図４】
2020153958.tif 000008
【図５】
2020153958.tif 000009
【図６】
2020153958.tif 000010
【図７】
2020153958.tif 000011
【図８】
2020153958.tif 000012
【図９】
2020153958.tif 000013